(57)【特許請求の範囲】
【請求項１】
被検試料及びこの被検試料の検査項目に該当する試薬を反応管に分注し、混合された反応液が収容された反応管に光を照射し、前記反応液内の透過光を検出光学部により検出して前記反応液に含まれる前記検査項目の成分を測定する自動分析装置において、
当該分析装置の測定部における光軸上で、前記反応管に照射するための光を発する光源と前記反応管との間、若しくは前記反応管と前記検出光学部との間に離間して配置され、
前記検査項目の分析条件に基づいて、照射光の前記光軸上の集光点位置を調整する集光点調整部と、
を備えたことを特徴とする自動分析装置。
【請求項２】
前記集光点調整部は、第１の集光点調整部と第２の集光点調整部からなり、
前記第１の集光点調整部は、前記光源と前記反応管の間に離間して配置され、前記反応管に照射する光の集光点位置を可変調整でき、
前記第２の集光点調整部は、前記反応管と前記検出光学部との間に離間して配置され、前記反応液内を透過した光を集光するための集光点を可変調整でき、
前記検査項目の分析条件を設定する分析条件設定部を更に有し、
前記分析条件には、前記反応液の液量、前記検出光学部による検出光の波長、前記試薬の粘性若しくは泡立ち易さを含む試薬液性、及び前記反応液中における反応の種類が比色測定又は比濁測定かの各情報が含まれ、
前記第１の集光点調整部は、前記反応液の分析条件である反応の種類情報に基づいて、前記反応管への照射光の集光点を可変し、
前記反応液の液量が当該自動分析装置によって規定される測定可能な最少液量と測定猶予量との加算量である場合は、前記第１の集光点調整部は、前記反応管の中心に照射光の集光点が位置するように調整し、
前記反応液の液量が測定に必要な最大液量を超える場合、前記第１の集光点調整部は、前記反応管透過光が前記光軸に平行光となるように集光点を無限遠に設定し、
前記分析条件である反応の種類情報が比濁測定若しくは比色測定であって、且つ前記反応液の液量が当該自動分析装置によって測定可能に規定された最少液量と最大液量との中間液量である場合、前記第１の集光点調整部は、前記反応液の液量に応じて、前記光軸上で、前記反応管の前方若しくは後方の位置に、前記照射光の集光点を調整し、
前記第２の集光点調整部は、前記第１の集光点調整部の集光点位置に集光点を合わせて、前記反応液内を透過した光を集光するように配置され、
前記第１の集光点調整部は、前記検査項目の分析条件に基づいて、前記反応管への照射光量を最大にするように、照射光の前記光軸上の集光点位置を可変調整することを特徴とする請求項１記載の自動分析装置。
【請求項３】
前記検査項目の分析条件を設定する分析条件設定部を更に有し、
前記分析条件には、前記反応液の液量、前記検出光学部による検出光の波長、前記試薬の粘性若しくは泡立ち易さを含む試薬液性、及び前記反応液中における反応の種類が比色測定又は比濁測定かの各情報が含まれ、
前記集光点調整部は、少なくとも前記分析条件の１つの情報に基づいて、前記反応管への照射光の集光点を可変することを特徴とする請求項１に記載の自動分析装置。
【請求項４】
前記集光点調整部は、前記反応液の分析条件である反応の種類情報に基づいて、前記反応管への照射光の集光点を可変することを特徴とする請求項１又は請求項３に記載の自動分析装置。
【請求項５】
前記反応液の液量が当該自動分析装置によって規定される測定可能な最少液量と測定猶予量との加算量である場合は、前記集光点調整部は、前記反応管の中心に照射光の集光点が位置するように調整することを特徴とする請求項１に記載の自動分析装置。
【請求項６】
前記反応液の液量が測定に必要な最大液量を超える場合、前記集光点調整部は、前記反応管透過光が前記光軸に平行光となるように集光点を無限遠に設定することを特徴とする請求項１に記載の自動分析装置。
【請求項７】
前記分析条件である反応の種類情報が比濁測定若しくは比色測定であって、且つ前記反応液の液量が当該自動分析装置によって測定可能に規定された最少液量と最大液量との中間液量である場合、前記集光点調整部は、前記反応液の液量に応じて、前記光軸上で、前記反応管の前方若しくは後方の位置に、前記照射光の集光点を調整することを特徴とする請求項１に記載の自動分析装置。
【請求項８】
前記集光点調整部は、第１の集光点調整部と第２の集光点調整部からなり、
前記第１の集光点調整部は、前記光源と前記反応管の間に離間して配置され、前記反応管に照射する光の集光点位置を可変調整でき、
前記第２の集光点調整部は、前記反応管と前記検出光学部との間に離間して配置され、前記反応液内を透過した光を集光するための集光点を可変調整できることを特徴とする請求項１に記載の自動分析装置。
【請求項９】
前記第２の集光点調整部は、前記第１の集光点調整部の集光点位置に集光点を合わせて、前記反応液内を透過した光を集光するように配置されることを特徴とする請求項８に記載の自動分析装置。
【請求項１０】
前記集光点調整部は、前記検査項目の分析条件に基づいて、前記反応管への照射光量を最大にするように、照射光の前記光軸上の集光点位置を可変調整することを特徴とする請求項１記載の自動分析装置。
【請求項１１】
被検試料及びこの被検試料の検査項目に該当する試薬を反応管に分注し、混合された反応液が収容された反応管に光を照射し、前記反応液内の透過光を検出光学部により検出することで前記反応液に含まれる前記検査項目の成分を測定する自動分析装置において、
前記反応管に照射する光を発する光源と、
前記光源と前記検出光学部との間に配置され、屈折率の異なる複数の溶液からなる液体レンズと、
前記液体レンズの前記複数の溶液間の界面曲率を変更する変更部と、
前記反応管に照射する光の集光点を調整するために、前記検査項目の分析条件に応じて、前記変更部を制御する制御部と、
を有することを特徴とする自動分析装置。
【請求項１２】
前記液体レンズは、少なくとも１つの界面を形成するように水溶液層と前記水溶液層とは屈折率の異なるオイル層とで構成され、
前記変更部は、前記液体レンズを挟んで対向する少なくとも一対の電極で構成され、
前記制御部は、前記一対の電極間に印加する電圧により前記界面曲率を変更することを特徴とする請求項１１に記載の自動分析装置。
【請求項１３】
前記制御部は、前記反応管に照射する光が前記光軸に略平行光となるように前記界面曲率を制御することを特徴とする請求項１１に記載の自動分析装置。
【請求項１４】
前記液体レンズは、少なくとも１つの界面を形成するように第１のオイル層と前記第１のオイル層とは屈折率の異なる第２のオイル層とで構成され、
前記変更部は、前記液体レンズを挟んで対向する少なくとも一対の電極で構成され、
前記制御部は、前記一対の電極間に印加する電圧により前記界面曲率を変更することを特徴とする請求項１１に記載の自動分析装置。
【請求項１５】
被検試料及びこの被検試料の検査項目に該当する試薬を反応管に分注し、混合された反応液が収容された反応管に光源からの光を照射し、前記反応液内の透過光を検出光学部により検出することで前記反応液に含まれる前記検査項目の成分を測定する自動分析方法において、
分析装置の測定部における光軸上で、前記光源と前記反応管との間、若しくは前記反応管と前記検出光学部との間に離間して配置された集光点調整部により、前記検査項目の分析条件に基づいて前記反応管への照射光の前記光軸上の集光点位置を調整することを特徴とする自動分析方法。
【発明の詳細な説明】
【技術分野】
【０００１】
本発明は、被検試料と試薬との混合溶液に含まれる所望の検査項目を測定する自動分析
装置及び自動分析方法に係り、特に、ヒトの血液や尿などの被検試料に含まれる検査項目
毎の分析条件に応じて反応管への照射領域若しくは検出領域を可変調整できる自動分析装
置及び自動分析方法に関する。
【背景技術】
【０００２】
自動分析装置は、ヒトの血液や尿などの被検試料に試薬を添加し、被検試料中に含まれ
る所望の検査項目の濃度を測定する。自動分析装置には、主に生化学検査項目の色度変化
を測定する比色測定法と、免疫血清検査項目の濁度変化を測定する比濁測定法とが採用さ
れている。比色測定法は生化学検査項目の被検試料と試薬との混合反応液中で吸収される
特定波長成分を検出する。一方、比濁測定法は、被検試料中の抗原と試薬中の抗体との反
応で生じる凝集に起因する散乱光による混合液の濁度(turbidity)変化、或いは透過度を
測定する。
【０００３】
比濁測定法には、免疫比濁法(Turbidimetric immunoassay)とラテックス凝集免疫比濁
法がある。ラテックス凝集免疫比濁法は、被検試料中の抗原と試薬中のラテックス粒子に
抗体を感作させた抗体感作ラテックスとを反応させて生じる凝集による濁度変化若しくは
透過光変化を測定する。比色測定法及び比濁測定法のいずれの場合も、使用する自動分析
装置に合わせて測定が可能になるように試薬が調整される。
【０００４】
近年、生化学検査及び免疫血清検査の高効率化、コスト削減及び反応液の微量化が要求
されている。このため、より少ない自動分析装置で、できるだけ多くの検査項目を高速か
つ正確に検査することが望まれている。このような状況下で、生化学検査の自動分析装置
は多項目を高速に処理できるので、免疫血清検査項目への適用を図って、一台の自動分析
装置で生化学検査項目及び免疫血清検査項目を含む多数の検査項目の測定を行うことが求
められている。
【０００５】
しかしながら、生化学検査用自動分析装置で、混合液の免疫血清検査項目の濁度変化を
測定すると、反応管内の混合液中に存在する散乱体の多重散乱により測定精度が低下する
問題がある。即ち、生化学検査項目の比色測定と同様に透過光を利用して、免疫血清検査
項目の濁度変化を測定すると、反応管の混合液内に存在するラテックス凝集散乱体による
散乱光の影響で、混合液の透過光から吸光度を算出する際の有効光路長が異なってしまい
測定精度が低下するのである。
【０００６】
この不要な散乱体による散乱光の影響を低下させて、透過光による測定精度を改善し、
反応液を微量化するために、出願人は、反応管の前方及び後方に集光レンズを配置する自
動分析装置を発明した（特許文献１参照）。
【先行技術文献】
【特許文献】
【０００７】
【特許文献１】特開２００３−１４９１５７号公報
【発明の概要】
【発明が解決しようとする課題】
【０００８】
この特許文献１の装置では、反応管前方に配置した集光レンズの集光点が、反応管の中
心位置よりも所定距離だけ反応管の後方の位置になるように設定し、且つ反応管後方に配
置した集光レンズの集光点位置を、前記前方集光レンズの集光点位置と合致するように設
定する。即ち、集光レンズの集光点位置を反応管後方に設定することで、反応管の混合液
内に存在するラテックス 凝集散乱体によって生じた散乱光が検出されることを制御散乱
光の影響を低下させるものである。これにより透過光による比濁測定の測定精度を改善す
ると共に、反応液の微量化を図るのである。
【０００９】
しかし、特許文献１の自動分析装置では、ある特定の検査項目の分析条件に対応して必
要な混合液の最少液量を高精度に測定可能なだけの光スポット径が得るように集光レンズ
の集光点位置を決める方式である。したがって、一旦設定された集光レンズの集光点位置
はそのまま固定される。このため、分析条件の異なる他の検査項目の測定も、特定の分析
条件で設定された集光点位置のままで行なわれることになる。そのため、透過光を利用し
て濁度変化の測定する場合、集光レンズの集光点位置を混合液の最少液量に適した照射領
域に設定したままで測定すると、測定に必要な反応液量などの分析条件が異なる他の検査
項目によっては、反応管をカバーする恒温槽中に存在する気泡などの障害物の影響を受け
て測定精度が低下するという問題がある。
【００１０】
本発明は、上記問題点を解決するためになされたもので、被検試料と試薬との混合溶液
を収容する反応管への照射光学系又は反応管からの検出光学系のいずれか若しくは双方に
、検査項目毎の分析条件である反応の種類及び混合溶液の液量に応じて最適な照射領域で
測定できるように、照射光の集光点（結像位置）を調整できる集光点調整部を具備し、複
数の検査項目毎の測定精度を向上させると共に液量の微小化を達成することのできる自動
分析装置及び自動分析方法を提供することを目的とする。
【００１１】
即ち、本発明は、比色変化の測定を行う自動分析装置において、比色測定と同様に透過
光を利用して比濁変化の測定を行い、且つ、反応液の液量を含む検査項目の分析条件に応
じて反応管への照射領域を最適化するように、入射光の集光点を調整することで、気泡な
どの不要散乱体の影響を除去すると共に、検査項目毎に要求される比色測定性能又は比濁
測定性能と反応液量の微量化の両立を図る自動分析装置及び自動分析方法を提供する。
【課題を解決するための手段】
【００１２】
上記目的を達成するために、本発明の自動分析装置の一態様は、被検試料及びこの被検試料の検査項目に該当する試薬を反応管に分注し、混合された反応液が収容された反応管に光を照射し、前記反応液内の透過光を検出光学部により検出して前記反応液に含まれる前記検査項目の成分を測定する自動分析装置において、当該分析装置の測定部における光軸上で、前記反応管に照射するための光を発する光源と前記反応管との間、若しくは前記反応管と前記検出光学部との間に離間して配置され、前記検査項目の分析条件に基づいて、照射光の前記光軸上の集光点位置を調整する集光点調整部と、を備えたことを特徴とする。
【００１３】
また本発明の自動分析装置は、被検試料及びこの被検試料の検査項目に該当する試薬を反応管に分注し、混合された反応液が収容された反応管に光を照射し、前記反応液内の透過光を検出光学部により検出することで前記反応液に含まれる前記検査項目の成分を測定する自動分析装置において、前記反応管に照射する光を発する光源と、前記光源と前記検出光学部との間に配置され、屈折率の異なる複数の溶液からなる液体レンズと、前記液体レンズの前記複数の溶液間の界面曲率を変更する変更部と、前記反応管に照射する光の集光点を調整するために、前記検査項目の分析条件に応じて、前記変更部を制御する制御部と、を有することを特徴とする。
【００１４】
また本発明の自動分析方法は、被検試料及びこの被検試料の検査項目に該当する試薬を反応管に分注し、混合された反応液が収容された反応管に光源からの光を照射し、前記反応液内の透過光を検出光学部により検出することで前記反応液に含まれる前記検査項目の成分を測定する自動分析方法において、分析装置の測定部における光軸上で、前記光源と前記反応管との間、若しくは前記反応管と前記検出光学部との間に離間して配置された集光点調整部により、前記検査項目の分析条件に基づいて前記反応管への照射光の前記光軸上の集光点位置を調整することを特徴とする。
【発明の効果】
【００１５】
本発明によれば、混合溶液の液量に応じて、検査項目毎に集光点調整部の集光点位置を
可変制御することで、単一の自動分析装置で、透過光による比濁測定と比色測定の双方の
測定を高精度におこなうことができる。
【図面の簡単な説明】
【００１６】
【図１】本発明の実施例に係る自動分析装置の構成を示すブロック図。
【図２】本発明の実施例に係る自動分析装置の分析部の構成を示す斜視図。
【図３】本発明の実施例に係る自動分析装置の測光部の構成を示す図。
【図４Ａ】本発明の実施例に係る自動分析装置に配置される集光点調整部の構成を示し、反応管に光軸に略平行な光路を供給するレンズ内の界面状態を示す図。
【図４Ｂ】最少液量の測定が可能な光集光点が得られるように、集光点調整部のレンズ内の界面曲率が調整され、反応管の中心に集光点が位置することを示す図。
【図５】本発明の実施例に係る自動分析装置の表示部に表示される濁度測定の分析条件設定画面の一例を示す図。
【図６】本発明の実施例に係る自動分析装置の集光点調整部のレンズ内の界面調整により反応管の中心に光路の集光点位置を設定する例を示す側面図及び反応管上面図。
【図７Ａ】本発明の実施例に係る自動分析装置の集光点調整部のレンズ内の界面調整により反応管から無限遠に光路の集光点位置を設定し、恒温槽内の反応管に平行光を供給する一例を示す側面図及び反応管上面図。
【図７Ｂ】図７Ａの光軸方向から見た反応管と光路面の関係図。
【図８】本発明の実施例に係る自動分析装置の集光点調整部のレンズ内の界面調整により反応管後方に光路の集光点位置を設定する例を示す図。
【図９】本発明の実施例に係る自動分析装置の集光点調整部のレンズ内の界面調整により反応管前方に光路の集光点位置を設定する例を示す図。
【発明を実施するための形態】
【００１７】
以下、図面を参照しながら本発明の実施形態を説明する。
【実施例】
【００１８】
図１は、本発明の実施例に係る自動分析装置１００の構成を示すブロック図である。図
１に示すように、分析部１８、分析制御部４０、データ処理部５０、出力部６０、操作部
７０及びシステム制御部８０を備える。分析部１８は、図２で詳述するが、種々の測定項
目の標準試料や被検試料を項目毎に測定する複数の測定部を有する。分析制御部４０は、
分析部１８における各測定部を駆動する機構部４１と、各機構部の駆動を制御する駆動制
御部４２を有する。データ処理部５０は、分析部１８からの標準試料データや被検試料デ
ータから検量線の作成や分析データの生成を行う演算部５１と、演算部５１で作成された
検量線や生成された分析データなどを保存する記憶部５２とを備える。
【００１９】
自動分析装置１００は、更に、出力部６０と操作部７０とシステム制御部８０とを備え
る。出力部６０は、データ処理部５０で作成された検量線や生成された分析データを出力
する印刷部６１と表示部６２を備える。操作部７０は、各項目の標準試料や検量線に関す
る分析条件の入力や、各種コマンド信号の入力などを行う。システム制御部８０は、分析
制御部４０、データ処理部５０、及び出力部６０の動作を統括制御する。
【００２０】
図２は、分析部１８の構成を示した斜視図である。この分析部１８は、標準試料や被検
試料等のサンプルを収容する試料容器１７と、サンプルを収容した試料容器１７を回動可
能に保持するディスクサンプラ５と、サンプルに含まれる各検査項目の成分と反応する第
１試薬（前方試薬）を収容する試薬容器６と、第１試薬を収容した試薬容器６を回動可能
に保持する第１ラック１ａが収納された第１試薬庫１とを備えている。
【００２１】
分析部１８は、更に、ディスクサンプラ５に保持された試料容器１７からサンプルを吸
引して反応管３に吐出する分注を行うサンプル分注プローブ１６と、第１試薬庫１の試薬
容器６から第１試薬を吸引して反応管３に吐出する分注を行う第１分注プローブ１４と、
第２試薬庫２の試薬容器７から第２試薬を吸引して反応管３に吐出する分注を行う第２試
薬分注プローブ１５とを備えている。そして、各分注プローブ１４，１５及び１６は、分
注アームで夫々、回動及び上下動可能に保持される。即ち、サンプル分注プローブ１６は
サンプル分注アーム１０で回動及び上下動可能に保持され、第１試薬分注プローブ１４と
第２試薬分注プローブ１５は夫々第１及び第２試薬分注アーム８，９で回動及び上下動可
能に保持される。
【００２２】
分析部１８は、更に、第１試薬庫１の外周に配置される反応管３を回転移動可能に保持
する反応ディスク４と、撹拌部１１と、測光部１３と、洗浄部１２とを備えている。撹拌
部１１は、反応管３内に分注されたサンプル及び第１試薬の混合液や、サンプル、第１試
薬、及び第２試薬の混合液を撹拌する。測光部１３は、各混合液を収容した反応管３を測
定する。洗浄部１２は、反応管３内の測定を終えた各混合液を吸引すると共に反応管３内
を洗浄する洗浄ノズル、及び反応管３内を乾燥する乾燥ノズルを上下移動可能に保持する
。
【００２３】
測光部１３は、回転移動している反応管３に測光位置Ｐで光を照射し、標準試料を含む
混合液を透過した光を吸光度に変換した標準試料データを生成して、データ処理部５０に
出力する。また、被検試料を含む混合液を透過した光を吸光度に変換した被検試料データ
を生成した後、データ処理部５０に出力する。測定後の反応管３、サンプル分注プローブ
１６、第１及び第２試薬分注プローブ１４，１５、撹拌ユニット１１などの各分析ユニッ
トは、洗浄ユニット１２で洗浄された後、再び測定に使用される。
【００２４】
分析制御部４０は、分析部１８の各測定部を駆動する機構を備えた機構部４１と、機構
部４１の各機構を駆動させて分析部１８の各部を制御する制御部４２とを備える。機構部
４１は、第１試薬庫１の第１ラック１ａ、第２試薬庫２の第2ラック２ａ、及びディスク
サンプラ５を夫々回動する機構、反応ディスク４を回転する機構、サンプル分注アーム１
０、第１試薬分注アーム８、第２試薬分注アーム９、及び撹拌部１１を夫々回動及び上下
移動する機構、洗浄部１２を上下移動する機構等を備える。
【００２５】
機構部４１は、更に、サンプルの吸引及び吐出をサンプル分注プローブ１６に行わせる
サンプル分注ポンプを吸引及び吐出駆動する機構、第１及び第２試薬の吸引及び吐出を第
１及び第２試薬分注プローブ１４，１５に行わせる第１及び第２試薬ポンプを夫々吸引及
び吐出駆動する機構、撹拌ユニット１１の撹拌子を撹拌駆動する機構、測光部１３の各光
学ユニットを駆動する機構、洗浄ユニット１２の洗浄ノズルから混合液の吸引や洗浄液の
吐出及び吸引を行う洗浄ポンプを駆動する機構、洗浄ユニット１２の乾燥ノズルから吸引
を行う乾燥ポンプを駆動する機構等を備えている。
【００２６】
データ処理部５０は、演算部５１と記憶部５２とを備える。演算部５１は、分析部１８
の測光部１３から出力された各測定項目の標準試料データから検量線を作成して記憶部５
２に保存すると共に出力部６０に出力する。記憶部５２は、ハードディスクなどで構成さ
れており、演算部５１から出力された検量線を測定項目毎に保存する。演算部５１は、更
に、記憶部５２から読み出した被検試料データの測定項目に対応する検量線を用いて濃度
や活性値などの分析データを生成する。演算部５１で生成された分析データは、被検試料
毎に記憶部５２のハードディスクに保存されると共に出力部６０に出力される。
【００２７】
データ処理部５０から出力された検量線、分析データａなどは、出力部６０の印刷部６
１で印刷出力される。印刷部６１は、プリンタを備えており、検量線、分析データなどを
予め設定されたフォーマットに基づいて、プリンタ用紙に印刷出力する。出力部６０は表
示部６２も備えている。表示部６２は、ＣＲＴ(cathode ray tube)や液晶パネルなどのモ
ニタを有し、データ処理部５０から出力された検量線や分析データの表示を行うと共に、
測定項目毎にサンプル量、試薬量、波長などの分析条件を設定する分析条件設定画面、被
検体ＩＤや被検体名などを設定する被検体情報設定画面、及び被検試料毎に測定項目を選
択する測定項目選択画面などの表示を行う。
【００２８】
操作部７０は、図示しないキーボード、マウス、ボタン、タッチキーパネルなどの入力
デバイスを備え、各検査項目の分析条件、被検体の被検体ＩＤや被検体名などの被検体情
報、被検試料毎の検査項目等を入力する。
【００２９】
システム制御部８０は、ＣＰＵと記憶回路を備え、操作部７０から供給されるコマンド
信号、各検査項目の分析条件、被検体情報、被検試料毎に測定する検査項目などの情報を
記憶する。そして、これらの情報に基づいて、分析部１８の各ユニットを一定分析サイク
ルの所定の条件で動作させる制御などシステム全体の制御を行なう。
【００３０】
図３は、測光部１３の構成を示した図である。測光部１３は、光源部２０、照射光学部
２1、検出光学部２３、分光分析部２５、光検出部２６、及び信号処理部２７を備える。
光源部２０は、白色光を照射する白色光源部を備えている。白色光源部は、近紫外から近
赤外に亘る波長域の光線からなる白色光を発するハロゲンランプ等の白色光源２０１と、
白色光源２０１からの熱線等の不用な光線を遮断するフィルタ２０２とにより構成される
。白色光源２0１は白色光を発する光源中心が第１の光軸３０上に配置される。
【００３１】
照射光学部２１は、光源部２０からの光を集光して例えば光軸３０に対して平行な平行
光にするコリメータレンズ等の第１のレンズ２１１と、この第１のレンズ２１１と反応管
３の間に離間して配置され、反応管３に照射する光の結像（集光点）位置を可変できる照
射光学系集光点調整部２２とにより構成される。集光点調整部２２は、後述するように、
反応管３への照射光の集光点位置を可変調整する。なお、集光点又は結像位置は、画像情
報ポイントとも言うが、以下の説明では、集光点(optical convergence point)に統一し
て使用する。
【００３２】
図４Ａ、及び図４Ｂは、集光点調整部２２の２つの異なる形態を示す実施例である。即
ち、図４Ａと図４Ｂは同じ集光点調整部２２であって、界面曲率を変更した２つの異なる
ケースを例示している。集光点調整部２２は、ケース２２５内に封入される屈折率の異な
る少なくとも１つの層間界面２２８を形成する水溶液層２２１と、オイル層２２２との２
層の液体レンズと、この液体レンズの少なくとも１つの界面曲率を変更する一対の電極２
２３，２２４とにより構成され変更部とを有する。変更部の一対の電極２２３，２２４は
、液体レンズ部を照射光が透過できるように開口を有する環状若しくは矩形状に形成され
る。液体レンズは、屈折率が夫々異なる第１のオイル層と第２のオイル層で構成する２層
液体レンズにすることもできる。
【００３３】
集光点調整部２２の２層液体レンズを介して対向配置される一対の電極２２３，２２４
は、分析制御部４０から制御電圧によってレンズ内の界面曲率を変更する。即ち、印加電
圧を調整することで、水溶液層２２１とオイル層２２２の層間界面２２８の曲率を変更で
き、反応管３への入射光の光軸上の集光点の位置を可変調整することができる。
【００３４】
集光点調整部２２は、照射光学部２１の第１のレンズ２１１側にはケース２２５の第１
の透過窓２２６が設けられ、反応管３側にはケース２２５の第２の透過窓２２７が設けら
れている。第１のレンズ２１１を介して第１の光透過窓２２６に入射した光Ｌは、液体レ
ンズの水溶液層２２１とオイル層２２２、第２の透過窓２２７を透過して、分析部１８を
図３の矢印Ｒ１方向に回転移動して測光位置に到達した反応管３に照射される。
【００３５】
反応管３に収容された混合液の検査項目毎の分析条件に基づいて、分析制御部４０の制
御部４２により、反応管３への照射光の集光点位置Ｃ．Ｐ．が可変制御される。実施例で
は、測定部の光軸３０上での反応管３の中心位置Ｏから集光点位置Ｃ．Ｐ．までの距離情
報をパラメータとして、集光点調整部２２の対向する一対の電極２２３，２２４への印加
電圧を制御することで、水溶液層２２１とオイル層２２２の層間界面２２８の曲率が変化
する。尚、液体レンズの界面曲率の変化は、光線の開口数（ＮＡ）をパラメータとして調
整してもよい。
【００３６】
図４Ａは、反応管３の中心位置から集光点位置までの距離を無限大にして、反応管３へ
の照射光Ｌが、反応管３内では光軸３０に略平行な光路ＰＬを形成する場合を示す。図４
Ｂは、反応管３の中心位置Ｏから集光点位置Ｃ．Ｐ．までの距離を「０」にして、反応管
３への照射光が、反応管３内の中心位置Ｏに集光するように界面２２８の曲率を変化させ
た場合を示す。照射光の集光点位置Ｃ．Ｐ．を反応管３内の中心位置Ｏに設定することで
、最少の混合液を測定することができる。反応管３内の混合液の液量が最少液量よりも多
い場合、反応管３の中心位置Ｏから照射光の集光点位置Ｃ．Ｐ．までの距離を０以外の有
限値にすることで、反応管３の中心位置以外の光軸上に集光点位置を変更できる。
【００３７】
集光点調整部２２を、第１のレンズ２１１からの平行光を光軸３０上に集光点する複数
のレンズ、及び一部のレンズを光軸３０方向に移動する移動機構により構成し、この移動
機構を制御して、反応管３に照射する光スポットの集光点位置Ｃ．Ｐ．を可変にしてする
ように構成してもよい。
【００３８】
検出光学部２３は、照射光学部２１からの照射光を遮断するシャッタ２３１と、反応管
３に収容された混合液の透過光を集光するための集光点位置を可変調整する集光点調整部
２４と、集光点調整部２４で集光した光を分光部２５に照射する第２のレンズ２３２によ
り構成される。検出光学部２３において、集光点調整部２４がシャッタ２３１と第２のレ
ンズ２３２の間に離間して配置されている。
【００３９】
検出光学部２３のシャッタ２３１は、分析制御部４０における機構部４１の開閉駆動に
より作動し、光検出部２６からの出力信号を求めるために使用される。透過率０％の出力
信号にするときには、シャッタ２３１を閉じて照射光学部２１からの照射光を遮断する。
サンプル測定をするときには、シャッタ２３１を開放して、反応管３に収容された混合液
内の透過光を通過させる。
【００４０】
検出光学部２３の集光点調整部２４の構成は、図４Ａ，図４Ｂに示す照射光学部２１の
集光点調整部２２の同一構成であるが、透過窓が前後逆向きに配置される。即ち、照射光
学部２１の集光点調整部２２のオイル層２２２側の第２の透過窓２２７に対応する透過窓
が、検出光学部２３の集光点調整部２４では反応管３側に向くように配置される。分析制
御部４０の制御部４２は、照射光学部２１の集光点調整部２２に連動させて検出光学部２
３の集光点調整部２４の集光点位置を決定する。
【００４１】
照射光学部２１の集光点調整部２２の集光点位置が反応管３の中心位置から光軸上の有
限の距離である場合、検出光学部２３の集光点調整部２４の集光点位置は、照射光学部２
１の集光点調整部２２の集光点位置と同じ位置になるように調整される。照射光学部２１
の集光点調整部２２からの照射光が平行光の場合、検出光学部２３の集光点調整部２４は
照射光学部２１の集光点調整部２２からの平行光に一致させる光路に調整する。この場合
、検出光学部２３の第２のレンズ２３２が、検出光学部２３の集光点調整部２４からの平
行光を分光部２５に集束させる。
【００４２】
図３の説明に戻り、分光分析部２５は、検出光学部２３の第２のレンズ２３２からの光
を所定の範囲に絞り込むスリット２５１と、このスリット２５１を通過した光を回折する
回折格子２５２とにより構成される。スリット２５１は、第２のレンズ２３２からの光が
集束位置若しくは集束位置近傍に配置されて、第２のレンズ２３２からの光が回折格子２
５２の有効範囲内に入るように絞り込む。回折格子２５２は、スリット２５１から入射し
た光を波長毎に所定の方向に分離する。
【００４３】
光検出部２６は、迷光を除去するフィルタアレイ２６１と、このフィルタアレイ２６１
を透過した複数波長の光を予め設定された波長毎に検出する複数の受光素子を有するフォ
トダイオードアレイ２６２とにより構成される。フォトダイオードアレイ２６２は、分光
分析部２５の回折格子２５２により波長毎に分離された複数波長の光を検出して電気信号
に変換し、その変換した電気信号を検出信号として信号処理部２７に出力する。
【００４４】
信号処理部２７は、光検出部２６のフォトダイオードアレイ２６２から出力された各検
出信号を増幅及びアナログデジタル変換後、吸光度で表される標準試料データや被検試料
データを生成してデータ処理部５０に出力する。
【００４５】
図５は、出力部６０の表示部６２に表示される分析条件設定画面の一例である。 
分析条件設定画面６３は、「項目名」、「サンプル量」、「試薬量」、「波長」、及び
「測光ポイント」の各欄と、各欄に情報を設定するためのダイアログボックス６３１乃至
６３８とにより構成される。操作部７０から検査項目毎に分析条件設定画面６３の各欄に
対応する各ダイアログボックスへの入力操作が行われる。本実施例では、検査項目が入力
されると、各検査項目に対応して、反応の種類が比濁測定か比色測定かのいずれかに自動
的に設定される。入力された検査項目毎の分析条件設定情報が、システム制御部８０の記
憶回路に保存される。
【００４６】
図５には、検査項目として血清分析項目であるＣ反応性蛋白（ＣＲＰ）が入力設定され
た例を示す。即ち、「項目名」欄には、予め設定された複数の検査項目の中から、Ｃ反応
性蛋白を選択入力することで、ダイアログボックス６３１内に「ＣＲＰ」が表示される。
検査項目「ＣＲＰ」の入力に対応して、「反応の種類」は比濁測定に自動的に設定される
ので図示していない。「サンプル量」欄には、Ｃ反応性蛋白の測定に使用する被検試料量
として、例えば２．４μＬが入力されると、ダイアログボックス６３２内に「２．４」が
表示される。
【００４７】
「試薬量」欄には、「第１試薬」欄と「第２試薬」欄が表示され、「項目名」欄に設定
した検査項目を測定するときに用いる試薬が１試薬系である場合には、「第１試薬」欄に
のみ反応管３に分注する試薬の量が設定される。検査項目の測定に用いる試薬が２試薬系
である場合は、「第１試薬」欄と「第２試薬」欄とに反応管３に夫々分注する第１試薬と
第２試薬の量が設定される。図５の例では、２試薬系のＣ反応性蛋白の測定のために、第
１試薬と第２試薬の量が夫々「１２０μＬ」が入力設定され、ダイアログボックス６３３
，６３４内に夫々「１２０」が表示される。
【００４８】
「波長」欄には、「波長１」欄及び「波長２」欄が表示され、「項目名」欄に設定した
検査項目の反応の種類（色調又は濁りの変化）に応じた波長を設定される。予め設定され
た波長の中から１つ又は異なる２つの波長を選択して設定する。「波長１」欄に「項目名
」欄に設定した検査項目「ＣＲＰ」の反応種類に応じた、例えば「５７２ｎｍ」が選択操
作で入力されると、ダイアログボックス６３５内に「５７２」が表示される。同様に、「
波長２」欄に検査項目「ＣＲＰ」の反応種類に応じた、例えば「８０４ｎｍ」を選択操作
で入力されることにより、ダイアログボックス６３６内に「８０４」が表示される。
【００４９】
「測定ポイント」欄には、「項目名」欄に設定した検査項目「ＣＲＰ」の混合液を測定
するタイミングである測定ポイントが設定される。例えば、第３３測定ポイント〜第３５
測定ポイントまでを選択操作により入力することで、ダイアログボックス６３７内に「３
３」、ダイアログボックス６３８内に「３５」が表示される。即ち、被検試料を反応管３
に分注後、その反応管３が回転移動して１回目に分析部１８の測定位置を通過するときを
第１測定ポイントとする。従って、被検試料を含む混合液を包含した反応管３が測定ポイ
ントを３３回目乃至３５回目に通過した際に、測光部１３により生成される３個の被検試
料データに基づいて「ＣＲＰ」の分析データが生成される。
【００５０】
図６乃至図９は、検査項目毎に設定された分析条件に基づいて、測光部１３における照
射光学部２１の集光点調整部２２及び検出光学部２３の集光点調整部２４の集光点位置が
可変制御される態様例である。以下の説明では、照射光学部２１の集光点調整部２２の集
光点位置についてのみ説明するが、いずれの場合も、検出光学部２３の集光点調整部２４
の集光点位置は、照射光学部２１の集光点調整部２２と同じ位置に調整されるものとする
。
【００５１】
図６は、集光点調整部２２の集光点位置Ｃ．Ｐ．が反応管３の中心位置Ｏにある場合を
示す。図７Ａは、集光点調整部２２の集光点位置Ｃ．Ｐ．が反応管３から無限遠にある場
合を示す。図７Ｂは、図７Ａの光軸３０方向から見た平行光ＰＬの反応管３への光照射面
を示す。図８は、集光点調整部２２の集光点位置Ｃ．Ｐ．が反応管３の中心位置Ｏよりも
外側後方の光軸上有限距離に設定した場合を示す。図９は、集光点調整部２２の集光点位
置Ｃ．Ｐ．が、反応管３の中心位置Ｏよりも外側前方の光軸上有限距離に設定した場合を
示す。
【００５２】
集光点調整部２２は、図５に示す分析条件設定画面６３で設定された分析条件であるサ
ンプル量、試薬量、波長の情報や、検査項目毎に予め設定された分析条件である反応の種
類、試薬液性の情報の中から少なくとも１つの情報に基づいて、集光点位置Ｃ．Ｐ．を可
変調整する。以下、図５の免疫血清検査項目「ＣＰＲ」の比濁度測定の分析条件での集光
点調整部２２の動作例を説明する。
【００５３】
分析条件設定画面６３で設定された検査項目毎に予め設定された反応の種類、試薬液等
の分析条件情報がシステム制御部８０の記憶回路に保存されている。即ち、分析条件設定
画面６３で設定された検査項目が「ＣＲＰ」の場合、システム制御部８０の記憶回路には
「ＣＲＰ」の「反応の種類」である比濁測定の設定情報が保存されている。分析制御部４
０の制御部４２は、システム制御部８０から供給される「ＣＲＰ」の分析条件に基づいて
、照射光学部２１の集光点調整部２２の界面曲率を制御する。集光点調整部２２は、制御
部４２の制御により分析条件設定画面６３の「サンプル量」欄に設定されたサンプル量、
並びに「試薬量」欄に設定された第１試薬量又は２試薬系の場合には第１試薬と第２試薬
の合計量である反応液量に応じて反応管３への照射光を集光する。
【００５４】
図６に示すように、照射光学部２１の集光点調整部２２が、照射光を反応管３の中心位
置Ｏに集光するように調整する場合、照射光学部２１の第１のレンズ２１１からの平行光
Ｌは、集光点調整部２２内の層間界面２２８の中心と光軸３０との交点から距離Ｌｍｉｎ
離れた反応管３の中心位置Ｏの光軸３０上に集光した後、反応管３内を透過する。反応管
３内における光路領域は、最も高い部分で反応管３内の底面から最低光路高Ｈｍｉｎにな
る。図６の下面図に示すように、反応管３内の底面は、例えば正方形又は長方形の四角形
状をしているものとし、反応管３の底面積を面積Ａと仮定する。
【００５５】
反応管３に収容された混合液の上面は表面張力で反応管面が盛り上がり、測定可能な中
央水平部分は混合液量から算出した液高よりも低い。このため、混合液上部における表面
張力等により光路内へ空気などが含まれるのを避けるための余裕高Ｈｍｇを必要とする。
即ち、最低光路高Ｈｍｉｎに余裕高Ｈｍｇを加えた高さ（Ｈｍｉｎ＋Ｈｍｇ）が測定に必
要な最低液高となる。従って、測光部１３で測定可能な混合液の最少液量Ｖｍｉｎは最低
液高（Ｈｍｉｎ＋Ｈｍｇ）と面積Ａの積（（Ｈｍｉｎ＋Ｈｍｇ）×Ａ）となる。即ち、分
析条件設定画面６３で設定された反応液量が最少液量Ｖｍｉｎである場合、分析制御部４
０により集光点調整部２２の集光点位置Ｃ．Ｐ．が反応管３の中心位置Ｏに位置するよう
に制御される。
【００５６】
分析条件設定画面６３で設定された検査項目に対応した反応の種類が比濁測定で、分析
条件設定画面６３で設定されたサンプル量及び試薬量の総和である反応液量が最少液量Ｖ
ｍｉｎであれば、反応管３の中心位置Ｏに集光させることで、透過光による比濁測定が可
能となる。
【００５７】
図７Ａ、及び図７Ｂは、分析条件設定画面６３で設定された反応液量に応じて集光点調
整部２２が反応管３の中心位置Ｏから無限遠に集光点位置を設定する場合を示す。
【００５８】
集光点調整部２２が反応管３から無限遠に集光点を調整すると、照射光学部２１内の第
１のレンズ２１１からの照射光Ｌは、集光点調整部２２内を透過後、平行光路ＰＬを形成
したまま直進して反応管３内を通過する。このとき、反応管３内における光路領域は、反
応管３内の底面からの高さが最も高い位置Ｈｍａｘに形成される。この場合も、表面張力
による影響を避けるための余裕高Ｈｍｇが必要となるので、最高光路高Ｈｍａｘに余裕高
Ｈｍｇを加えた高さ（Ｈｍａｘ＋Ｈｍｇ）の液高が必要となる。この最高液高（Ｈｍａｘ
＋Ｈｍｇ）と反応管３も面積Ａの積（（Ｈｍａｘ＋Ｈｍｇ）×Ａ）で表される液量Ｖｍａ
ｘ以上であれば、平行光での測定が可能となる。即ち、分析条件設定画面６３で設定され
た反応液量が最大液量Ｖｍａｘ以上である場合、集光点調整部２２の集光点位置を反応管
３から無限遠に制御して、反応管３には平行光ＰＬが照射される。
【００５９】
即ち、本発明の自動分析装置では、分析条件に含まれる反応液量に応じて、照射光学部
２１の集光点調整部２２及び検出光学部２３の集光点調整部２４の集光点位置Ｃ．Ｐ．を
可変制御することで照射投影面積を最大化できる。分析条件設定画面６３で設定された反
応液量が最大液量Ｖｍａｘ以上である場合は、反応管３に平行光を照射し、混合液内を透
過した平行光を集光して測定することが可能になり、透過光を利用して濁度変化を測定す
る場合の誤差要因となる散乱光の影響を抑制でき、更には、恒温槽中を透過する光の単位
面積当たりの光エネルギー量を低減できる為、恒温槽１９ａ中に存在する気泡の影響を軽
減できるので測定精度を向上することができる。
【００６０】
図７Ｂでは、反応管３は恒温槽１９ａに反応液された恒温水１９ｂの循環により、一定
の温度に保たれている。図７Ｂに示すように、反応管３の光路ＬＳを光軸３０方向から見
た場合、集光点調整部２２からの光は、集光点調整部２２側の恒温槽１９ａの外周壁に設
けられた第１の透過窓１９ｃ及び恒温水１９ｂを透過し、光軸３０を中心とした直径Ｄの
円形光路面を反応管３面に形成する。この光路面で混合液Ｓ内を透過した光は、同一形状
のまま反応管３を透過して、恒温槽１９ａの検出光学部２３側外周壁に設けられた第２の
透過窓１９ｄを透過する。第２の透過窓１９ｄを透過した光は検出光学部２３の集光点調
整部２４に集光される。
【００６１】
サンプル測定中に、恒温槽１９ａの第１の透過窓１９ｃと反応管３の一方の光路面の間
、若しくは反応管３の他方の光路面と恒温槽１９ａの第２の透過窓１９ｄの間の光路内に
、例えば大気中の浮遊物や恒温水１９ｂに含まれる気泡等の障害物が突発的に流入した場
合、光路内の透過光が散乱して測定精度に影響がでる恐れがある。しかし、集光点調整部
２２、２４の集光点位置が反応管３から無限遠に制御され平行光ＰＬのときは、反応管３
前面の恒温槽の光透過面積及び反応管３後面の恒温槽の光透過面積が最大となり、光透過
面積に対する障害物の占める割合を相対的に低く抑えることができるので、障害物の影響
を除去できる。
【００６２】
図８は、分析条件設定画面６３上で反応液量が、前記測定に必要な最少液量Ｖｍｉｎよ
りも多く、且つ前記最大液量Ｖｍａｘよりも少ない中間液量Ｖｂに設定された場合に、そ
の設定された中間液量に応じて、集光点が反応管３の後方で、図６の距離Ｌｍｉｎより遠
くの位置なるように集光調整部２２を制御する例である。分析制御部４０の制御信号に基
づいて、集光点調整部２２の２層レンズの層間界面２２８の曲率が変更制御される。これ
により、集光点調整部２２から反応管３内を通過した透過光ＣＬが反応管３の後方で、液
体レンズの界面中心から光軸上の有限距離Ｌｂに集光点位置Ｃ．Ｐ．が位置する変更制御
される。
【００６３】
分析制御部４０の制御部４２は、中間液量Ｖｂを反応管３の面積Ａで除算（Ｖｂ/Ａ）
することにより、反応管３内に分注された混合液の可変液高Ｈｂを求める。更に、可変液
高Ｈｂから余裕高Ｈｍｇを差し引いて可変光路高（Ｈｂ−Ｈｍｇ）を求める。可変光路高
（Ｈｂ−Ｈｍｇ）が、反応管３内における光路領域の集光点位置の上限を決定する。即ち
、中間液量Ｖｂの混合液の測定可能範囲で反応管３の中心から最も後方に離れた有限の距
離に決定する。集光点調整部２２は、制御部４２の制御により、集光点調整部２２内の界
面と光軸３０の交点から距離Ｌｂ（Ｌｂ＞Ｌｍｉｎ）離れた光軸３０上に集光点する。
【００６４】
分析条件設定画面６３で設定された反応液量が最少液量Ｖｍｉｎよりも多く、最大液量
Ｖｍａｘよりも少ない中間液量Ｖｆである場合、図９に示すように、反応管３よりも前方
で集光点調整部２２側に集光するように制御してもよい。このとき、集光点調整部２２内
の界面と光軸３０の交点から光軸３０上の距離Ｌｆ（０＜Ｌｆ＜Ｌｍｉｎ）離れた位置に
集光する。反応管３内における光路領域の上限は反応管３内の底面から最低光路高Ｈｍｉ
ｎよりも高く、最高光路高Ｈｍａｘよりも低い可変光路高Ｈｆになる。可変光路高Ｈｆに
余裕高Ｈｍｇを加えた高さ（Ｈｆ＋Ｈｍｇ）と面積Ａの積（（Ｈｆ＋Ｈｍｇ）×Ａ）が測
定可能液量Ｖｆになる。
【００６５】
このように、分析条件設定画面６３で設定された検査項目の反応の種類が比濁測定であ
って、反応液量が測定可能な最少液量Ｖｍｉｎよりも多い場合、その反応液量に応じて、
透過光の照射開口数（ＮＡｉ）又は検出開口数（ＮＡｄ）を最大化又は最小化するように
、集光点調整部２２、２４の集光点位置を反応管３の中心位置以外に可変制御することが
できる。
【００６６】
分析条件設定画面６３で設定された反応液量が中間液量Ｖｂである場合、反応管３内の
混合液の測定可能な範囲内で反応管３の中心位置から光軸上できるだけ遠方に離れた有限
距離に集光点させることにより、できるだけ平行光に近い光を反応管３に照射することで
、混合液内の透過光を利用して比濁測定の誤差要因となる散乱光の影響を低減して精度よ
く測定することができる。
【００６７】
分析条件設定画面６３で設定された検査項目が、測光誤差要因の占める割合が大きく、
高い信号対雑音（Ｓ／Ｎ）比が要求される場合、そのＳ／Ｎ比情報を予め分析条件として
設定し、その分析条件で設定された反応液量に応じて集光点調整部２２、２４の集光点位
置を可変することで、その検査項目を精度よく測定できる。
【００６８】
本発明の実施例によれば、検査項目毎に予め設定された分析条件、例えば、反応の種類
（比色測定又は比濁測定）、試薬液性（粘性及び泡立ち易さ等）毎に、その検査項目の混
合液の液量に応じて、混合液を反応液した反応管３に対する集光点調整部２２、２４の集
光点位置を可変できる。設定された反応液量が最少液量Ｖｍｉｎ以上である場合は、反応
管３の中心に集光点させることにより、サンプル及び試薬の混合液量を最少にして測定す
ることができる。
【００６９】
反応液量が最大液量Ｖｍａｘ以上である場合、反応管３から無限遠に集光点をおくこと
で、混合液内を透過した平行光を検出することで、透過光を利用して比濁測定の場合の誤
差要因となる散乱光の影響を抑制することができる。
【００７０】
反応液量が中間液量Ｖｂである場合は、混合液の測定が可能な範囲内で反応管３の中心
からできる限り遠く離れた有限の距離に集光点させて、混合液の測定が可能な範囲内で最
も平行光に近い光を反応管３に照射し、混合液内を透過した最も平行光に近い光を集光す
ることにより、透過光を利用して濁度変化を測定する場合の誤差要因となる散乱光の影響
を低減することができる。
【００７１】
本発明によれば、混合液の微量測定が可能になると共に、反応の種類が比濁測定の検査
項目で、測光誤差要因の占める割合が大きく、高い信号対雑音比が要求される検査項目で
あっても、透過光を利用する測定精度が向上し、１つの自動分析装置で多数の検査項目を
精度よく測定することができる。
【００７２】
上記実施例では、反応管３の前後に照射光学部２１の集光点調整部２２と検出光学部２
３の集光点調整部２４の双方を配置したが、一方の集光点調整部２２を省略することもで
きる。例えば、測光部１３の照射光学部２１から集光点調整部２２を除いた場合、検査項
目毎に予め設定された分析条件又は分析条件設定画面６３で設定された分析条件に基づい
て、反応管３内の混合液を透過した光を検出光学系の集光点調整部２４で集光点調整して
集光する。
【００７３】
一方、検出光学部２３の集光点位置設定２４を除いた場合、検査項目毎に予め設定され
た分析条件又は分析条件設定画面６３で設定された分析条件に基づいて、照射光学系の集
光点調整部２２により反応管３への照射光の集光点位置を可変調整する。いずれの場合も
、反応管３内の混合液の測定精度を向上できる。
【００７４】
以上説明したように、本発明によれば、反応管に反応液した混合液量に応じて、入射光
及び透過光の集光点位置を可変調整できるので、検査項目毎の分析条件に対応して、混合
液の測定を高精度で行なうことができ、且つ、反応液量の微量化も達成できる。
【００７５】
本発明は、上記した実施形態に限定されるものではなく、本発明の要旨を逸脱しない範
囲において適宜設計変更可能である。また、各実施形態を適宜組み合わせても良い。
【符号の説明】
【００７６】
１‥第１試薬庫、２‥第２試薬庫、３‥反応管、５‥ディスクサンプラ、７‥試薬容器、
８，９‥第１及び第２試薬分注アーム、１１‥撹拌部、１２‥洗浄部、１３‥測光部、１
４‥第１試薬分注プローブ、１５‥第２試薬分注プローブ、１６‥サンプル分注プローブ
、１７‥試料容器、１８‥分析部１８、２０‥光源部、２１‥照射光学部、２２‥集光点
調整部、２３‥検出光学部、２４‥集光点調整部、２５‥分光分析部、２６‥光検出部、
２７‥信号処理部、４０‥分析制御部、４１‥機構部、４２‥駆動制御部、５０‥データ
処理部、５１‥演算部、５２‥記憶部、６０‥出力部、６１‥印刷部、６２‥表示部、７
０‥操作部、８０‥システム制御部、２０１‥光源、２０１‥白色光源、２０２‥フィル
タ、２１１‥第１のレンズ、２１１‥水溶液層、２２１‥水溶液層、２２２‥オイル層、
２２３，２２４‥電極、２２５‥ケース、２２６‥第１の透過窓、２２７‥第２の透過窓
、２２８‥層間界面、２３２‥第２のレンズ、２５１‥スリット、２５２‥回折格子、２
６１‥フィルタアレイ、２６２‥フォトダイオードアレイ２６２
【図１】
0005350810.tif 000002
【図２】
0005350810.tif 000003
【図３】
0005350810.tif 000004
【図４Ａ】
0005350810.tif 000005
【図４Ｂ】
0005350810.tif 000006
【図５】
0005350810.tif 000007
【図６】
0005350810.tif 000008
【図７Ａ】
0005350810.tif 000009
【図７Ｂ】
0005350810.tif 000010
【図８】
0005350810.tif 000011
【図９】
0005350810.tif 000012